(57)【要約】【課題】  立て掛けたとき、後側に水が溜まることを防止し、又外周部分や床面等の汚れを軽減できるようにする。【解決手段】  浴槽から取り外して浴室内に立て掛けて使用する風呂蓋であって、幅の狭い板材１を並列に且つ互いに屈曲自在に連結して巻蓋式に形成する。立て掛け時に接地する脚２を、外周部分である板材１の端部に設ける。この場合、脚２は、接地面２ａが小さくなるよう、先端に向かって先細り状に形成されているのが好ましい。【選択図】      図１
2008110222.tif 000002
【特許請求の範囲】
【請求項１】
浴槽から取り外して浴室内に立て掛けて使用する風呂蓋であって、幅の狭い板材が並列に且つ互いに屈曲自在に連結されて巻蓋式に形成され、立て掛け時に接地する脚が、外周部分である板材の端部に設けられていることを特徴とする風呂蓋。
【請求項２】
浴槽から取り外して浴室内に立て掛けて使用する風呂蓋であって、幅の狭い板材が並列に且つ互いに屈曲自在に連結されて巻蓋式に形成され、立て掛け時に接地する脚が、巻き始めと巻き終わり部分にあたる少数の板材の両端に設けられていることを特徴とする風呂蓋。
【請求項３】
請求項１又は２記載の風呂蓋であって、脚が、先端に向かって先細り状に形成されていることを特徴とする風呂蓋。
【発明の詳細な説明】
【技術分野】
【０００１】
本発明は、浴槽の付属品としての風呂蓋に関し、更に詳しくは浴槽のフランジに載せられて浴槽の開口面を覆って塞ぎ、浴槽から取り外したときは浴室内の適宜位置に立て掛けて使用する形式の風呂蓋に関するものである。
【背景技術】
【０００２】
従来この種の風呂蓋としては、例えば上下の面材と、両面材の間の内側に部分的に介装した補強用芯材とで本体部分を形成し、周縁を保護するエッジプロテクターの内側部分を所定形状に形成し、この内側部分を本体部分の周囲の凹部空間に嵌め入れ、エッジプロテクターを本体部分に取り付けてなるものがある（例えば特許文献１参照）。
又従来、本体部分とエッジプロテクターとで形成すると共に、洗い場の床面等に置いたときの衝撃を緩和するため、エッジプロテクターの外側縁周辺に、緩衝用の膨出部を形成したものも知られている（例えば特許文献２参照）。
【０００３】
【特許文献１】特開平１０ー１１７９５７号公報
【特許文献２】特開平１１ー３２９３０号公報
【発明の開示】
【発明が解決しようとする課題】
【０００４】
従来、風呂蓋は、入浴時に浴槽から取り外し、浴室の洗い場の隅など、入浴に邪魔にならない箇所に立て掛けて使用することが多い。この場合従来品は、上記の通り、外周部分のエッジプロテクターで、洗い場の床面等との衝撃を緩和できるものの、外周部分が洗い場の床面にべたに接触するものであった。
従って従来品を使用すると、立て掛けられている風呂蓋の後側に排水が回り込むと、外周部分が堰となって水捌けが悪くなり、この後側箇所に水が溜ったり、又外周部分や床面等が水垢で汚れ易くなる、という問題点があった。
【０００５】
本発明は、このような従来の問題点に鑑み、提案されたものである。
従って本発明の技術的課題は、立て掛けたとき、後側に水が溜まることを防止でき、又外周部分や床面等の汚れを軽減できるよう形成した風呂蓋を提供することにある。
【課題を解決するための手段】
【０００６】
本発明は、上記の課題を解決するために、次のような技術的手段を採る。
【０００７】
即ち本発明は、図１等に示されるように、浴槽から取り外して浴室内に立て掛けて使用する風呂蓋であって、幅の狭い板材１が並列に且つ互いに屈曲自在に連結されて巻蓋式に形成され、立て掛け時に接地する脚２が、外周部分である板材１の端部に設けられていることを特徴とする（請求項１）。
【０００８】
又本発明の課題を達成する他の構成としては、図４に示されるように形成されるものがある。
即ちこの本発明は、浴槽から取り外して浴室内に立て掛けて使用する風呂蓋であって、幅の狭い板材１が並列に且つ互いに屈曲自在に連結されて巻蓋式に形成され、立て掛け時に接地する脚２が、巻き始めと巻き終わり部分にあたる少数の板材１の両端に設けられていることを特徴とする（請求項２）。
【０００９】
この本発明の場合は、図面上、左右どちら側から巻いても、巻かれた後、芯部と外側の箇所に脚２が配置される。そしてこのうち外側の箇所の脚２が、本発明品を斜めに立て掛けたとき、床面に接地するから、これによると巻き始めの位置に制約を受けることなく（巻き始めの位置を間違えても）、少数の脚２で水捌けできるものである。又この場合は、浴槽に載置したとき、脚２が浴槽の端に配置されるから、蓋の取り外し等に、脚２が支障を及ぼすことがない、という利点がある。
【００１０】
而してこれらの本発明の場合、上記の脚２は、先端に向かって先細り状に形成されているのが好ましい（請求項３）。
【００１１】
なぜならこれによると、接地面２ａが小さくなり、その分、水捌けが良くなるからである。又これによると、接地面２ａが小さくなる分、水垢等による汚れが目立たなくなり、掃除の頻度を低減できるからである。
【発明の効果】
【００１２】
以上説明したように本発明は、浴槽から取り外して浴室内に立て掛けて使用する風呂蓋であって、幅の狭い板材を並列に且つ互いに屈曲自在に連結して巻蓋式に形成し、立て掛け時に接地する脚を、外周部分である板材の端部に設けているものである。
従って本発明品の場合は、浴室内に立て掛けたとき、脚によって床面との間に隙間を形成できるから、これによれば後側に水が溜まることを防止でき、又外周部分が床面等にべたに接触しないから、水垢等による汚れが目立たなくなり、外周部分や床面の掃除の頻度を低減できる。
【００１３】
又請求項２記載の本発明は、浴槽から取り外して浴室内に立て掛けて使用する風呂蓋であって、幅の狭い板材を並列に且つ互いに屈曲自在に連結して巻蓋式に形成し、立て掛け時に接地する脚を、巻き始めと巻き終わり部分にあたる少数の板材の両端に設けているものである。
従ってこの本発明によれば、後側に水が溜まることを防止でき、外周部分や床面の掃除の頻度を低減できるだけではなく、上記の通り、何れの側から巻き始めても少数の脚で水捌けでき、又脚が支障となることなく蓋の取り外し等を行なうことができる。
【発明を実施するための最良の形態】
【００１４】
以下、本発明の好適な一実施形態を添付図面に従って説明する。
【００１５】
本発明品は、浴槽の開口面を覆って塞ぎ、浴槽から取り外して浴室内の洗い場の床面等に立て掛けて使用する風呂蓋である。本発明品は、図１、図２に示されるように、幅の狭い板材１が並列に且つ互いに屈曲自在に連結されて巻蓋式に形成されている。
【００１６】
２は、立て掛け時に接地する、例えば硬質エラストマー等の高硬度のゴム製の脚である。この脚２は、外周部分である板材１の端部に、例えば一定の間隔をあけて複数設けられている。またこの突起状の脚２は、図２、図３等に示されるように、接地面２ａが小さくなるよう、先端に向かって先細り状に形成されている。なお脚２は、この実施形態では板材１の端部に接着されているが、本発明はこれに限られず、その他例えば図５に示されるように、脚２の先端の接地面２ａに、ネジ孔２ｂが凹段差状に形成され、このネジ孔２ｂにネジ頭３ａを収容させたネジ３で止め付けられたり、或いは外周部分と一体状に成形加工されているのでも良い。
【００１７】
本発明品は、このように形成されているため、例えば洗い場の床面に置かれると、脚２の高さの分、床面との間に隙間が形成される。従って本発明品の後側に、例えば排水が回り込んでも、隙間を介して排水され、後側の箇所に水が溜まることがない。また脚２は、この実施形態では高硬度のゴムで形成されている。従ってこの実施形態の本発明品では、洗い場の床面等に本発明品を立て掛けたときの衝撃は脚２で緩和、吸収され、しかも堅固に支持される。
【００１８】
以上の処において、上例では、脚２が、図１に示されるように、一定の間隔をあけて板材１の両端に形成されているが、本発明の風呂蓋は、脚２が、図４に示されるように、巻き始めと巻き終わり部分にあたる少数の板材１の両端にだけ設けられているのでも良い。
【００１９】
図４に示される本発明品の場合は、図面上、左右どちら側から巻かれても、巻かれた後、芯部と外側の箇所に脚２が配置される。そしてこのうち外側に配置される脚２が、本発明品を壁面等に凭せ掛けて斜めに立て掛けたとき、床面に接地する。従ってこの本発明品によると、少数の脚２で水捌けでき、又浴槽に載せたとき脚２が浴槽の端に配置されるから、蓋の取り外し等に脚２が支障を及ぼすことがない。
【図面の簡単な説明】
【００２０】
【図１】本発明の風呂蓋の好適な一実施形態を示す平面図である。
【図２】同上風呂蓋の要部斜視図である。
【図３】同上風呂蓋の脚を示し、Ａは正面図、Ｂは平面図、Ｃは右側面図である。
【図４】脚の他の取付例を示す平面図である。
【図５】ネジによる脚の取付例を示す要部断面図である。
【符号の説明】
【００２１】
１    幅の狭い板材
２    脚
２ａ  接地面
２ｂ  ネジ孔
３    ネジ
３ａ  ネジ頭
【図１】
2008110222.tif 000003
【図２】
2008110222.tif 000004
【図３】
2008110222.tif 000005
【図４】
2008110222.tif 000006
【図５】
2008110222.tif 000007